(57)【要約】【課題】固定的に設置されている航空標識灯が非常時などのために、使用できないときに臨時に設置するのに好適な可搬式の航空標識灯を提供する。【解決手段】航空標識灯は、それぞれ複数の発光ダイオードを配設した複数の光源ブロック１と、複数の光源ブロック１の間を連結するとともに複数の光源ブロック１を折りたたんで可搬にする結合具２と、複数の光源ブロック１に配設されている発光ダイオード１ｂを付勢する可搬形の可制御電源３とを具備し、複数の光源ブロック１を展開して設置したときに所定の配光特性になるように構成されている。可制御電源３は、例えば複数の光源ブロック１に対して接続導体４を経由して共通に給電し、制御する。【選択図】図１
2005019190.tif 000002
【特許請求の範囲】
【請求項１】
それぞれ複数の発光ダイオードを配設した複数の光源ブロックと；
複数の光源ブロックの間を連結するとともに複数の光源ブロックを折りたたんで可搬にする結合具と；
複数の光源ブロックに配設されている発光ダイオードを付勢する可搬形の可制御電源と；
を具備し、複数の光源ブロックを展開して設置したときに所定の配光特性になるように構成されていることを特徴とする航空標識灯。
【請求項２】
それぞれ複数の発光ダイオードを配設した細長い複数の光源ブロックと；
複数の光源ブロックをその長手方向がほぼ平行に離間するように複数箇所で連結するとともに複数の光源ブロックを折りたたんで可搬にする結合具と；
複数の光源ブロックに配設されている発光ダイオードを付勢する可搬形の可制御電源と；
を具備し、複数の光源ブロックを展開して設置したときに所定の配光特性になるように構成されていることを特徴とする航空標識灯。
【請求項３】
可制御電源は、複数の光源ブロックに対して共通に作用するように構成されていることを特徴とする請求項１または２記載の航空標識灯。
【発明の詳細な説明】
【０００１】
【発明の属する技術分野】
本発明は、可搬式の航空標識灯に関する。
【０００２】
【従来の技術】
空港においては、種々の航空標識灯が用いられている。これらの航空標識灯は、埋込形および地上形のいずれにおいても、所定の場所に固定的に設置されている。そして、これらの航空標識灯が点灯しないような事態が発生しないようさまざまな対策を実施している。
【０００３】
【発明が解決しようとする課題】
しかし、これらの航空標識灯が非常時などのために万一点灯しないようなことになれば、航空機の離発着ができなくなり、大変な混乱を来たすことが容易に想像できる。それにもかかわらず、従来このような場合に適合させることができるとともに、不使用時における収納が容易な可搬式の航空標識灯がなかった。
【０００４】
本発明は、固定的に設置されている航空標識灯が非常時などのために、使用できないときに臨時に設置するのに好適な可搬式の航空標識灯を提供することを目的とする。
【０００５】
【課題を達成するための手段】
請求項１の発明の航空標識灯は、それぞれ複数の発光ダイオードを配設した複数の光源ブロックと；複数の光源ブロックの間を連結するとともに複数の光源ブロックを折りたたんで可搬にする結合具と；複数の光源ブロックに配設されている発光ダイオードを付勢する可搬形の可制御電源と；を具備し、複数の光源ブロックを展開して設置したときに所定の配光特性になるように構成されていることを特徴としている。
【０００６】
本発明および以下の各発明において、特に指定しない限り用語の定義および技術的意味は次による。
【０００７】
光源ブロックは、一つの航空標識灯において複数用いられる。そして、各光源ブロックには、複数の発光ダイオードを配設している。複数の発光ダイオードは、航空標識灯の使用時に複数の光源ブロックを離間状態に展開して空港の所定の場所に例えば載置することにより設置した際に、所定の配光特性を発揮するようにその光ビームの向きを予め設定しておくものとする。光源ブロックは、多様な形状であることを許容する。しかし、好ましくは細長く形成される。
【０００８】
また、光源ブロックは、発光ダイオードの点灯に対して防水機能を具備している。すなわち、複数の発光ダイオードを配線基板に実装し、防水構造にした箱状をなした光源ブロックの内部に配線基板を収納するように構成することができる。あるいは、上記配線基板をプラスチックスで被覆するように充填成形を行って光源ブロックを形成してもよい。
【０００９】
さらに、光源ブロックは、これを空港の路盤上に載置することにより設置することができるように構成される。なお、要すれば、航空機の走行によって光源ブロックが不所望に移動しないよう設置の際に簡易的に固定することが可能に構成することができる。例えば、接着剤を用いて路盤に接着したり、鋲などを用いて固着したりする。
【００１０】
連結具は、複数の光源ブロックを離間状態に連結する手段であって、鎖状体、紐状体およびリンク状体など適宜の構造をなしていることを許容する。そして、隣接する光源ブロック相互の間隔を所定に設定している。また、連結具は、複数の光源ブロックを不使用時の収納や運搬の際に小さな容積に収まるように折りたたみが可能なように構成されている。さらに、連結具は、光源ブロックが細長い場合、それらを展開時に光源ブロックが離間して並列するように串刺し状に連結してもよいし、複数の光源ブロックが離間して直列するように長手方向に連結してもよい。
【００１１】
可制御電源は、複数の光源ブロックにおける複数の発光ダイオードに対する付勢すなわち給電と動作制御を担当する手段であり、可搬形の電源および制御器を含んで構成されている。電源としては、例えばリチウム電池などの蓄電池、小型燃料電池ならびに太陽電池および充電用蓄電池などを適宜選択して用いることができる。
【００１２】
また、制御器としては、発光ダイオードを点灯および消灯を制御する電源スイッチを含み、さらに所望により点滅回路や光センサおよび光度調節回路などを付加することができる。なお、点滅回路は、発光ダイオードを所定周期で点滅動作させるための回路である。また、光センサおよび光度調節回路は、光センサで周囲の明るさを感知して光度調節回路で発光ダイオードの光度を周囲の明るさに応じて自動的に航空機のパイロットが識別しやすい所望値に調整するための回路である。
【００１３】
さらに、可制御電源は、複数の光源ブロックに対して共通の単一であってもよいし、光源ブロックと１対１の関係など複数であってもよい。また、可制御電源を共通に配設する場合、可制御電源と複数の光源ブロックとの間の電気接続は、複数の光源ブロックを順送りに接続してもよいし、可制御電源に対して各光源ブロックを直接並列的に接続してもよい。また、連結具を利用して電気接続するように構成してもよい。
【００１４】
本発明の航空標識灯は、空港における各種の標識灯用として構成することができる。そして、その用途に応じた配光特性すなわち配光分布、光度および色度などが所定に設定される。例えば、白色および黄色発光の標識光を互いに前後方向すなわち反対方向へ投射するように構成することができる。
【００１５】
そうして、本発明においては、上記の構成を具備しているので、空港に非常事態が発生して固定的に設置されている標識灯が動作不能に陥ったときに、急遽本発明の航空標識灯を、その収納場所から搬出して所定の場所に臨時に設置すれば、空港としての標識灯機能を再開させることが可能になる。このような場合、全ての種類の標識灯全部を本発明の航空標識灯により置き換えることが望ましいが、優先順位を予め定めておき、優先度の高い航空標識灯から設置するようにしてもよい。
【００１６】
本発明によれば、複数の光源ブロックに分かれているので、コンパクトに折りたたむことが可能である。したがって、不使用時における収納に大きな場所を要さない。
【００１７】
また、複数の光源ブロックが連結具により連結されているので、収納、運搬および展開などの際の取扱いが頗る容易である。
【００１８】
これに対して、本発明によらないで非常時に対応可能にするために、車載形の標識灯を構成することも考えられるが、これでは装置が大形化し、高価になってしまうとともに、１台の車両に搭載可能な表示面を大きく取れないし、不使用時の収納も困難になる。
【００１９】
さらに、本発明の航空標識灯は、可制御電源を具備しているので、臨時に設置する際であっても、電源配線が不要であるから、独立して運用が可能である。したがって、非常時の運用が頗る容易になる。
【００２０】
請求項２の発明の航空標識灯は、それぞれ複数の発光ダイオードを配設した細長い複数の光源ブロックと；複数の光源ブロックをその長手方向がほぼ平行に離間するように複数箇所で連結するとともに複数の光源ブロックを折りたたんで可搬にする結合具と；複数の光源ブロックに配設されている発光ダイオードを付勢する可搬形の可制御電源と；を具備し、複数の光源ブロックを展開して設置したときに所定の配光特性になるように構成されていることを特徴としている。
【００２１】
本発明は、請求項１の発明に比べて航空標識灯のより一層好適な構成を規定している。
【００２２】
すなわち、光源ブロックは、細長い形状をなしている。発光ダイオードは、光源ブロックの長手方向に沿って複数配列することができる。発光ダイオードの配列は、１列でもよいし、複数列でもよい。また、光源ブロックは、全体として細長い平板状をなしていたり、アルミニウムインゴットのような形状をなしていたり、その他所望の形態をなしていることを許容する。なお、インゴット状をなしている場合、斜め上向きに傾斜した長手方向の左右両側面に発光ダイオードを配設することができる。これにより、発光ダイオードの発光を適当な仰角で投射させることが容易になるので、所定の配光特性を付与しやすくなる。
【００２３】
連結具は、複数の細長い光源ブロックをその長手方向がほぼ平行になるように、換言すれば複数の細長い光源ブロックが離間状態で並列するように、光源ブロックの長手方向に沿った複数箇所で光源ブロック相互の間を連結している。
【００２４】
そうして、本発明においては、上記の構成を具備していることにより、簾を巻き取るように複数の光源ブロックを折りたたむことができるので、折りたたんだ後に航空標識灯がコンパクトになるとともに、折りたたみと展開の作業が頗る容易になる。したがって、空港の非常時により一層迅速な対応が可能になる。
【００２５】
請求項３の発明の航空標識灯は、請求項１または２記載の航空標識灯において、可制御電源は、複数の光源ブロックに対して共通に作用するように構成されていることを特徴としている。
【００２６】
本発明は、可制御電源の好適な構成を規定している。すなわち、可制御電源を複数の光源ブロックに対して共通に作用させるように構成するために、可制御電源を各光源ブロックに対して共通に配設するのが望ましい。
【００２７】
また、可制御電源から複数の光源ブロックに対する電気接続は、順送りで行うか、またはそれぞれ個別の接続線を用いて並列的に行うことができる。順送りで行う場合は、各光源ブロックの発光ダイオードが可制御電源に対して並列接続されるように接続してもよいし、複数の光源ブロックが直列接続されるように接続してもよい。
【００２８】
そうして、本発明においては、上記のように構成されていることにより、航空標識灯の構成が簡単になり、その取扱いが容易になる。
【００２９】
【発明の実施の形態】
以下、図面を参照して本発明の実施の形態を説明する。
【００３０】
図１および図２は、本発明の航空標識灯における第１の実施の形態を示し、図１は展開状態の概念的斜視図、図２は複数の光源ブロックの折りたたみ状態の側面図である。本実施の形態において、航空標識灯は、複数の光源ブロック１、連結具２、可制御電源３および接続導体４からなる。
【００３１】
複数の光源ブロック１は、箱状のブロック本体１ａおよび複数の発光ダイオード１ｂを備えて構成されている。ブロック本体１ａは、それぞれ細長い平板状の同一形状をなしている。発光ダイオード１ｂは、図示しない配線基板に実装された状態でブロック本体１ａ内に収納され、その発光部がブロック本体１ａの外部へ防水処理されて露出している。なお、配線基板は、ブロック本体１ａ内に防水的に収納されている。
【００３２】
連結具２は、複数の光源ブロック１を離間した並列関係になるように、その側面の複数箇所において連結している。
【００３３】
可制御電源３は、可搬形の電源および制御器を含んでいて、複数の光源ブロックに対して共通に配設されて、各光源ブロック１の複数の発光ダイオード１ｂを電源により付勢すなわち給電するとともに、制御器により制御して点灯し、または消灯などを行う。
【００３４】
接続導体４は、電源線および信号線からなり、可制御電源３を複数の光源ブロック１に電気接続する手段である。そして、可制御電源３は、接続導体４を経由して図１において左端の光源ブロック１に接続し、以下順送りで右側に隣接する光源ブロック１に接続している。
【００３５】
以上の構成を具備する本実施の形態によれば、図２に示すように簾を巻き取るようにコンパクトに折りたたむことができる。なお、図２では可制御電源３の図示を省略している。
【００３６】
以下、図３および図４を参照して本発明のその他の実施の形態について説明する。なお、各図において、図１と同一部分については同一符号を付して説明は省略する。
【００３７】
図３は、本発明の航空標識灯における第２の実施の形態を示す複数の光源ブロックの折りたたみ状態の側面図である。本実施の形態において、連結具２は、複数の光源ブロック１をその長手方向に直列接続するように連結している。なお、図３では可制御電源３の図示を省略している。
【００３８】
したがって、航空標識灯を折りたたむ際には、図に示すように蛇行させて折りたためばよい。
【００３９】
図４は、本発明の航空標識灯における第３の実施の形態を示す複数の光源ブロックの展開状態の概念的斜視図である。本実施の形態においては、光源ブロック１の両側面にそれぞれ複数の発光ダイオード１ｂが配設されている。
【００４０】
すなわち、光源ブロック１は、そのブロック本体１ａがアルミニウムインゴットのような形状をなしていて、両側面１ａ１が斜め上向きに傾斜している。複数の発光ダイオード１ｂは、ブロック本体１ａの両側面にそれぞれ配設されている。なお、背面側に配設された発光ダイオードは、図においては見えない位置にある。そして、図示されている前面側の発光ダイオード１ｂは、黄色発光を行う。また、背面側の図示されていない発光ダイオードは、白色発光を行うように構成されている。
【００４１】
そうして、本実施の形態においては、ブロック本体１ａの両側面が上記のように傾斜しているので、発光ダイオード１ｂを側面に垂直に配置するだけで、光ビームが斜め上方へ向かい所定の配光特性を満足させることができる。また、前後両方向へ異なる光色の標識光を投射することができる。
【００４２】
【発明の効果】
請求項１の発明によれば、複数の発光ダイオードを配設した複数の光源ブロックと、複数の光源ブロックの間を連結する結合具と、可搬形の可制御電源とを具備し、複数の光源ブロックを展開して設置したときに所定の配光特性になるように構成されていることにより、固定的に設置されている航空標識灯が非常時などのために、使用できないときに臨時に設置するのに好適な可搬式の航空標識灯を提供することができる。
【００４３】
請求項２の発明によれば、複数の発光ダイオードを配設した細長い複数の光源ブロックと、複数の光源ブロックをその長手方向がほぼ平行になるように複数箇所で連結する結合具と、可制御電源とを具備し、複数の光源ブロックを展開して設置したときに所定の配光特性になるように構成されていることにより、加えてコンパクトに折りたためる可搬式の航空標識灯を提供することができる。
【００４４】
請求項３の発明によれば、可制御電源は、複数の光源ブロックに対して共通に作用するように構成されていることにより、航空標識灯の構成が簡単になり、その取扱いが容易な可搬式の航空標識灯を提供することができる。
【図面の簡単な説明】
【図１】本発明の航空標識灯における第１の実施の形態を示す展開状態の概念的斜視図
【図２】同じく複数の光源ブロックの折りたたみ状態の側面図
【図３】本発明の航空標識灯における第２の実施の形態を示す複数の光源ブロックの折りたたみ状態の側面図
【図４】本発明の航空標識灯における第３の実施の形態を示す複数の光源ブロックの展開状態の概念的斜視図
【符号の説明】
１…光源ブロック、１ａ…ブロック本体、１ｂ…発光ダイオード、２…連結具、３…可制御電源、４…接続導体
【図１】
2005019190.tif 000003
【図２】
2005019190.tif 000004
【図３】
2005019190.tif 000005
【図４】
2005019190.tif 000006